(57)【要約】【課題】傾倒した際や飲料容器を携帯中に内圧が上昇した際等に意図せず飲料が飲み口から漏れ出すことを防止することができる飲料容器を提供する。【解決手段】飲料容器１は、容器本体２と、使用者の口を付けることで弾性変形する飲み口部１０を有し、容器本体２に取り付けられる飲み口アダプター３と、を備えている。飲み口部１０は、容器本体２の側となる面１３に線状リブ８を有する平板状部１１を含み、平板状部１１には、弾性変形によって開放されるスリット７が線状リブ８上に設けられている。【選択図】図１
2020079099.tif 000002
【特許請求の範囲】
【請求項１】
容器本体と、
使用者の口を付けることで弾性変形する飲み口部を有し、前記容器本体に取り付けられる飲み口アダプターと、を備え、
前記飲み口部は、前記容器本体の側となる面に線状リブを有する平板状部を含み、
前記平板状部には、前記弾性変形によって開放されるスリットが前記線状リブ上に設けられている、飲料容器。
【請求項２】
前記線状リブの長手方向に直交する方向における前記平板状部の中央に、前記線状リブが設けられている、請求項１に記載の飲料容器。
【請求項３】
前記平板状部は、前記容器本体が画成する開口面に対して傾斜している、請求項１又は２に記載の飲料容器。
【請求項４】
前記飲み口部は、前記線状リブの長手方向における一方の側となる前記平板状部の縁部に接続し、前記平板状部と非平行な立上壁部をさらに有する、請求項１〜３のいずれか一項に記載の飲料容器。
【請求項５】
前記線状リブの長手方向における一方の側となる前記平板状部の縁部に、線状突出部が設けられている、請求項１〜４のいずれか一項に記載の飲料容器。
【請求項６】
閉じた状態で前記飲み口部を覆う開閉可能なキャップを更に備え、
前記キャップは、閉じた状態で前記平板状部に接触して平板状部を前記スリットの長手方向と非平行な方向に押す押圧部を有する、請求項１〜５のいずれか一項に記載の飲料容器。
【請求項７】
前記押圧部は、前記キャップが閉じた状態において、前記スリットの長手方向において前記スリットと重なる領域に位置している、請求項６に記載の飲料容器。
【請求項８】
前記スリットの長手方向における一方の側となる前記平板状部の縁部に、当該縁部に沿って延びる線状突出部が設けられ、
前記線状突出部は、前記スリットの長手方向と直交する方向において前記スリットと重なる位置に、凹みを設けられている、請求項６又は７に記載の飲料容器。
【請求項９】
前記キャップは、閉じた状態で前記平板状部のうちの前記スリットの長手方向に直交する方向における前記平板状部の縁部と前記スリットとの間となる部分に接触して当該部分の膨出を規制する規制部を、さらに有する、請求項６〜８のいずれか一項に記載の飲料容器。
【請求項１０】
前記規制部は、前記キャップが閉じた状態において、前記スリットの長手方向において前記スリットと重なる領域に位置している、請求項９に記載の飲料容器。
【請求項１１】
前記規制部は、前記キャップが閉じた状態において、前記スリットの長手方向に直交する方向に延びる線状の規制突出部を含む、請求項９又は１０に記載の飲料容器。
【請求項１２】
前記押圧部は、前記規制突出部の両側にそれぞれ接続し前記規制突出部よりも前記キャップからの突出長さが大きい一対の押圧突出部を含む、請求項１１に記載の飲料容器。
【請求項１３】
各押圧突出部の前記キャップからの突出長さは、前記スリットの長手方向に直交する方向に沿って前記規制突出部から離間するにつれて大きくなっていく、請求項１２に記載の飲料容器。
【請求項１４】
前記規制部は、前記スリットの長手方向に沿って離間して配置された複数の規制突出部を含む、請求項１１〜１３のいずれか一項に記載の飲料容器。
【請求項１５】
前記キャップは、閉じた状態で前記平板状部のうちの前記スリットの長手方向に沿って前記スリットからずれた部分に接触する接触部を有する、請求項６〜１４のいずれか一項に記載の飲料容器。
【請求項１６】
閉じた状態で前記飲み口部を覆う開閉可能なキャップを更に備え、
前記キャップは、前記飲み口アダプターに揺動可能に接続し、
前記キャップの揺動軸線と前記スリットの長手方向は垂直である、請求項１〜１５のいずれか一項に記載の飲料容器。
【請求項１７】
前記飲み口アダプターは、前記容器本体に取り付けられるアダプター本体と、アダプター本体に保持される弾性部材と、を有し、
前記弾性部材は、前記飲み口部と、前記飲み口部に接続され前記アダプター本体へ取り付けられる取り付け部と、前記取り付け部と接続し前記容器本体との間でシールを形成するベース部と、を有し、
前記飲み口部、前記取り付け部および前記ベース部は、一体的に形成されている、請求項１〜１６のいずれか一項に記載の飲料容器。
【請求項１８】
容器本体に取り付けられるキャップ組立体であって、
使用者の口を付けることで弾性変形する飲み口部を有し、前記容器本体に取り付けられる飲み口アダプターを備え、
前記飲み口部は、前記容器本体の側となる面に線状リブを有する平板状部を含み、
前記平板状部には、前記弾性変形によって開放されるスリットが前記線状リブ上に設けられている、キャップ組立体。
【発明の詳細な説明】
【技術分野】
【０００１】
本発明は、飲料容器および飲料容器に用いられるキャップ組立体に関する。
【背景技術】
【０００２】
従来、乳幼児向けの飲料容器として、コップ等の大きな開口がある容器から飲料を飲む訓練を行うための飲料容器が知られている。このような飲料容器は、飲料を収容する容器本体の開口を小さな穴を有する蓋体で閉鎖している。そして、この穴を飲み口とすることで、容器本体から乳幼児の口に流入する飲料の流量を小さくし、乳幼児が飲料を無理なく摂取することができるようにしている。
【先行技術文献】
【特許文献】
【０００３】
【特許文献１】国際公開第００／０６４３１５号パンフレット
【発明の概要】
【発明が解決しようとする課題】
【０００４】
このような飲料容器は、傾倒すると、意図せず飲み口から飲料が漏れ出てしまう。
【０００５】
本件発明は、以上の点を考慮してなされたものであって、飲料容器が傾倒した際や飲料容器を携帯中にその内圧が上昇した際等に意図せず飲料が飲み口から漏れ出すことを防止すること、を目的とする。
【課題を解決するための手段】
【０００６】
本発明による飲料容器は、
容器本体と、
使用者の口を付けることで弾性変形する飲み口部を有し、前記容器本体に取り付けられる飲み口アダプターと、を備え、
前記飲み口部は、前記容器本体の側となる面に線状リブを有する平板状部を含み、
前記平板状部には、前記弾性変形によって開放されるスリットが前記線状リブ上に設けられている。
【０００７】
本発明による飲料容器において、
前記線状リブの長手方向に直交する方向における前記平板状部の中央に、前記線状リブが設けられていてもよい。
【０００８】
また、本発明による飲料容器において、
前記平板状部は、前記容器本体が画成する開口面に対して傾斜していてもよい。
【０００９】
また、本発明による飲料容器において、
前記飲み口部は、前記線状リブの長手方向における一方の側となる前記平板状部の縁部に接続し、前記平板状部と非平行な立上壁部をさらに有していてもよい。
【００１０】
また、本発明による飲料容器において、
前記線状リブの長手方向における一方の側となる前記平板状部の縁部に、線状突出部が設けられていてもよい。
【００１１】
また、本発明による飲料容器において、
閉じた状態で前記飲み口部を覆う開閉可能なキャップを更に備え、
前記キャップは、閉じた状態で前記平板状部に接触して平板状部を前記スリットの長手方向と非平行な方向に押す押圧部を有してもよい。
【００１２】
また、本発明による飲料容器において、
前記押圧部は、前記キャップが閉じた状態において、前記スリットの長手方向において前記スリットと重なる領域に位置していてもよい。
【００１３】
また、本発明による飲料容器において、
前記スリットの長手方向における一方の側となる前記平板状部の縁部に、当該縁部に沿って延びる線状突出部が設けられ、
前記線状突出部は、前記スリットの長手方向と直交する方向において前記スリットと重なる位置に、凹みを設けられていてもよい。
【００１４】
また、本発明による飲料容器において、
前記キャップは、閉じた状態で前記平板状部のうちの前記スリットの長手方向に直交する方向における前記平板状部の縁部と前記スリットとの間となる部分に接触して当該部分の膨出を規制する規制部を、さらに有していてもよい。
【００１５】
また、本発明による飲料容器において、
前記規制部は、前記キャップが閉じた状態において、前記スリットの長手方向において前記スリットと重なる領域に位置していてもよい。
【００１６】
また、本発明による飲料容器において、
前記規制部は、前記キャップが閉じた状態において、前記スリットの長手方向に直交する方向に延びる線状の規制突出部を含んでいてもよい。
【００１７】
また、本発明による飲料容器において、
前記押圧部は、前記規制突出部の両側にそれぞれ接続し前記規制突出部よりも前記キャップからの突出長さが大きい一対の押圧突出部を含んでいてもよい。
【００１８】
また、本発明による飲料容器において、
各押圧突出部の前記キャップからの突出長さは、前記スリットの長手方向に直交する方向に沿って前記規制突出部から離間するにつれて大きくなっていてもよい。
【００１９】
また、本発明による飲料容器において、
前記規制部は、前記スリットの長手方向に沿って離間して配置された複数の規制突出部を含んでいてもよい。
【００２０】
また、本発明による飲料容器において、
前記キャップは、閉じた状態で前記平板状部のうちの前記スリットの長手方向に沿って前記スリットからずれた部分に接触する接触部を有していてもよい。
【００２１】
また、本発明による飲料容器において、
閉じた状態で前記飲み口部を覆う開閉可能なキャップを更に備え、
前記キャップは、前記飲み口アダプターに揺動可能に接続し、
前記キャップの揺動軸線と前記スリットの長手方向は垂直であってもよい。
【００２２】
また、本発明による飲料容器において、
前記飲み口アダプターは、前記容器本体に取り付けられるアダプター本体と、アダプター本体に保持される弾性部材と、を有し、
前記弾性部材は、前記飲み口部と、前記飲み口部に接続され前記アダプター本体へ取り付けられる取り付け部と、前記取り付け部と接続し前記容器本体との間でシールを形成するベース部と、を有し、
前記飲み口部、前記取り付け部および前記ベース部は、一体的に形成されていてもよい。
【００２３】
本発明によるキャップ組立体は、
容器本体に取り付けられるキャップ組立体であって、
使用者の口を付けることで弾性変形する飲み口部を有し、前記容器本体に取り付けられる飲み口アダプターを備え、
前記飲み口部は、前記容器本体の側となる面に線状リブを有する平板状部を含み、
前記平板状部には、前記弾性変形によって開放されるスリットが前記線状リブ上に設けられている。
【発明の効果】
【００２４】
本発明によれば、飲料容器が傾倒した際や飲料容器を携帯中にその内圧が上昇した際等に意図せず飲料が飲み口から漏れ出すことを防止することができる。
【図面の簡単な説明】
【００２５】
【図１】本発明の一実施の形態を説明するための図であって、飲料容器を示す斜視図。
【図２】図１の飲料容器を示す側面図。
【図３】図１の飲料容器の飲み口アダプターおよびキャップを容器本体が接続される側から示す斜視図。
【図４】図３の飲み口アダプターおよびキャップのスリットに沿った断面図。
【図５】図４のＩ−Ｉ線に沿った飲み口アダプターおよびキャップの断面図。
【図６】図４のＩＩ−ＩＩ線に沿った飲み口アダプターおよびキャップの断面図。
【図７】図４に対応する図であって、キャップが閉じた状態の飲み口アダプターおよびキャップを示す図。
【図８】図７のＩＩＩ−ＩＩＩ線に沿った飲み口アダプターおよびキャップの断面図。
【図９】図７のＩＶ−ＩＶ線に沿った飲み口アダプターおよびキャップの断面図。
【発明を実施するための形態】
【００２６】
図１〜図９は、本発明による飲料容器の一実施の形態を説明するための図である。このうち、図１および図２は、それぞれ、飲料容器の全体構成を示す斜視図および側面図である。本実施の形態による飲料容器は、主として乳幼児向けであり、乳幼児がコップなどの大きな開口を有する容器から茶やジュースなどの飲料を飲む訓練を行うこと、さらには飲料を吸い出す訓練を行うことを促進するための工夫がなされている。また、飲料容器は、飲料容器が傾倒した際や飲料容器を携帯中にその内圧が上昇した際に、飲み口から飲料が漏れ出すことを防止するための工夫がなされている。さらに、例えば飲料容器に温かい飲料を入れたり、冷蔵庫内で保管されていた飲料容器を庫外に出すことによって飲料容器の内圧が上がった際に、飲料容器内の飲料が飲み口から漏れ出すことを防止するための工夫がなされている。
【００２７】
以下、図面を参照して本発明の一実施の形態について説明する。
【００２８】
図１及び図２に示す飲料容器１は、容器本体２と、飲み口を形成し、容器本体２に取り外し可能に取り付けられる飲み口アダプター３と、を備えている。飲み口アダプター３には、閉じた状態で飲み口を覆うキャップ６が取り付けられている。飲み口アダプター３及びキャップ６によって、キャップ組立体が構成されている。以下、図１〜図９を参照して、飲料容器１の各部について、さらに詳細に説明する。図３は、飲料容器１の飲み口アダプター３およびキャップ６を容器本体２が接続される側から示す斜視図であり、図４は、飲み口アダプター３およびキャップ６のスリット７に沿った断面図である。図５および図６は、それぞれ、図４のＩ−Ｉ線およびＩＩ−ＩＩ線に沿った飲み口アダプター３およびキャップ６の断面図である。図７は、図４に対応する図であって、キャップ６が閉じた状態の飲み口アダプター３およびキャップ６を示す断面図である。図８および図９は、それぞれ、図７のＩＩＩ−ＩＩＩ線およびＩＶ−ＩＶ線に沿った飲み口アダプターおよびキャップの断面図である。
【００２９】
容器本体２は、内部に飲料を収容するためのものであり、一端（上端）で開口し他端（下端）で閉鎖された筒状に形成されている。容器本体２の上端部外周には、飲み口アダプター３を取り付けるための雄ネジ部２ｓが形成されている。
【００３０】
飲み口アダプター３は、容器本体２に取り付けられるアダプター本体４と、アダプター本体４に保持される弾性部材５と、を有する。後述するように、弾性部材５は、飲料容器１の使用者が口を付ける飲み口部１０を含む。
【００３１】
アダプター本体４は、一端（上端）が部分的に閉鎖された筒状に形成されている。具体的には、アダプター本体４は、円筒状の周壁部４ａと、周壁部４ａの上端縁の全長に亘って接続した天壁部４ｂと、を有している。周壁部４ａの下端部内周には、雌ネジ部４ｓが形成されている。雌ネジ部４ｓは、容器本体２の雄ネジ部２ｓと噛み合う。雌ネジ部４ｓと雄ネジ部２ｓとを噛み合わせることで、アダプター本体４を容器本体２に取り付けることができる。天壁部４ｂには、弾性部材５が取り付けられる取付孔４ｈが形成されている。また、天壁部４ｂには、天壁部４ｂから容器本体２とは反対の側に突出する突出部４ｃが設けられている。突出部４ｃは、その側部に、後述するキャップ６の係合凸部６ｄと係合し、キャップ６を閉じた状態に保持する係合凹部４ｄが形成されている。
【００３２】
弾性部材５は、飲み口部１０と、飲み口部１０に接続されアダプター本体４へ取り付けられる取り付け部２０と、取り付け部２０に接続されたベース部３０と、を有している。弾性部材５は、乳幼児が飲み口部１０に馴染み易いよう、シリコン等の柔らかな材料で作製されている。
【００３３】
ベース部３０は、全体として平板状であり、アダプター本体４の天壁部４ｂと、容器本体２の開口を画成する環状の上端面２ａと、の間に配置される。ベース部３０は、アダプター本体４の天壁部４ｂに沿って拡がり、天壁部４ｂと容器本体２の上端面２ａとの間でシールを形成する。より具体的には、ベース部３０は、アダプター本体４に接触してシール部を形成する第１面３１と、第１面３１に対向して設けられ容器本体２の上端面２ａに接触してシール部を形成する第２面３２と、を含む。ベース部３０の略中央には、容器本体２の内部空間と連通するベース部開口３３が設けられている。
【００３４】
取り付け部２０は、全体として筒状であり、ベース部３０から上方に向けて、ベース部開口３３を取り囲むように立設している。取り付け部２０は、アダプター本体４の取付孔４ｈを貫通する。取り付け部２０の上端部には、アダプター本体４の天壁部４ｂから板状部に向かう方向（上下方向）に見て取付孔４ｈの外側に延び出す延出部２１が形成されている。図４に示すように、延出部２１がアダプター本体４の天壁部４ｂのベース部３０とは反対の側に配置されることにより、言い換えると天壁部４ｂの取付孔４ｈを画成する縁部がベース部３０と延出部２１との間に配置されることにより、弾性部材５はアダプター本体４に保持される。
【００３５】
飲み口部１０は、筒状の取り付け部２０の上端部を覆う。飲み口部１０は、ベース部開口３３に対面して配置される平板状部１１を有する。平板状部１１は、使用者が口を付けると弾性変形する。平板状部１１には、スリット７が設けられている。スリット７は、平板状部１１が弾性変形することによって開放される。したがって、スリット７は、使用者が平板状部１１に口を付けて平板状部１１が弾性変形すると、開放される。このため、使用者が平板状部１１に口を付けた状態で飲料容器１を傾ければ、容器本体２内の飲料がスリット７を通じて流出し、使用者は当該飲料を飲むことができる。なお、飲料がスリット７を通じて流出することにより、容器本体２から流出する飲料の単位時間当たりの流量が抑えられ、乳幼児は無理なく飲料を摂取することができる。
【００３６】
平板状部１１は、使用者の口が付けられる外側面１２と、容器本体２の側（外側面１２とは反対側）となる内側面１３と、を有する。図３、図５および図８によく示されているように、内側面１３には、線状リブ８が設けられている。上記スリット７は、この線状リブ８上に設けられている。線状リブ８によって、平板状部１１の、とりわけスリット７が設けられている箇所の、容器本体２の外側への撓みを効果的に防止することができる。したがって、飲料容器１が傾倒した場合に、平板状部１１が飲料容器１内の飲料の圧を受けて容器本体２の外側へ撓むことによりスリット７が開放されて、飲料容器１内の飲料が意図せず漏れ出す、ということを効果的に防止することができる。また、容器本体２に温かい飲料を入れたり、冷蔵庫内に保管されていた飲料容器１を庫外に出すこと等によって、容器本体２の内圧が上がった場合に、平板状部１１が上記内圧によって容器本体２の外側へ撓むことによりスリット７が開放されて、飲料容器１内の飲料が意図せず漏れ出す、ということを効果的に防止することができる。その一方で、平板状部１１の容器本体２の内側への撓みが線状リブ８によって大きく拘束されることはない。したがって、平板状部１１に口を付けるといった簡単な動作によって、平板状部１１を容器本体２の内側に撓ませてスリット７を開くことができ、これにより、容器本体２内の飲料を飲むことができる。このような平板状部１１を有する飲料容器１を用いることにより、乳幼児の容器から飲料を飲む訓練を促進することができ、さらには、飲料を吸い出す訓練を促進することができる。
【００３７】
図１に示すように、線状リブ８は、線状リブ８の長手方向Ｄ１に直交する方向Ｄ２における平板状部１１の中央に設けられている。これにより、平板状部１１の容器本体２の外側への撓みをより効果的に防止することができる。したがって、飲料容器１が傾倒した場合や容器本体２内の内圧が上がった場合等に、平板状部１１が容器本体２の外側へ撓んでスリット７が開放され、飲料容器１内の飲料が意図せず漏れ出す、ということを、より効果的に防止することができる。
【００３８】
図２および図４によく示されているように、平板状部１１は、容器本体２が画成する開口面（容器本体２の上端面２ａによって囲まれる面）に対して傾斜している。より具体的には、線状リブ８の長手方向Ｄ１における一方の側となる平板状部１１の縁部１１ａが、他方の側となる平板状部１１の縁部１１ｂよりも、アダプター本体４の天壁部４ｂから離れた位置にある。これにより、平板状部１１の上記一方の側の縁部１１ａに上唇を着けやすくなり、容器本体２内の飲料を飲みやすくすることができる。これにより、乳幼児の容器から飲料を飲む訓練をさらに促進することができ、さらには、飲料を吸い出す訓練をさらに促進することができる。
【００３９】
具体的には、飲み口部１０は、線状リブ８の長手方向Ｄ１における一方の側となる取り付け部２０の縁部２０ａから立ち上がる立上壁部１５を有している。立上壁部１５は、線状リブ８の長手方向Ｄ１における一方の側となる平板状部１１の縁部１１ａに接続している。立上壁部１５は、平板状部１１の上記縁部１１ａと取り付け部２０の上記縁部２０ａとの間を、平板状部１１と非平行に、より具体的には上下方向に延びている。一方、上記長手方向Ｄ１における他方の側となる平板状部１１の縁部１１ｂは、取り付け部２０に直接接続している。これにより、平板状部１１は、容器本体２が画成する開口面に対して傾斜している。なお、立上壁部１５が設けられていることにより、使用者の口の位置を、立上壁部１５の側に（したがって平板状部１１の上記縁部１１ａの側に）、視覚的に誘導することができる。このことによっても、乳幼児の容器から飲料を飲む訓練を促進することができ、さらには飲料を吸い出す訓練を促進することができる。なお、線状リブ８の長手方向Ｄ１に直交する方向Ｄ２における一方の側および他方の側となる平板状部１１の縁部１１ｃおよび取り付け部２０の縁部の間には、それぞれ、側壁部１６，１６が設けられている。
【００４０】
図１および図２によく示されているように、線状リブ８の長手方向Ｄ１における一方の側となる平板状部１１の縁部１１ａに、当該縁部１１ａに沿って延びる（したがって、線状リブ８の長手方向Ｄ１と非平行な方向に延びる）線状突出部１７が設けられている。線状突出部１７は、上記縁部１１ａから容器本体２の外側に向けて、概ね立上壁部１５の立ち上がり方向に沿って突出している。線状突出部１７が設けられていることにより、平板状部１１の上記縁部１１ａを咥えやすくなる。このことによっても、使用者の口の位置を、線状突出部１７の側に（したがって平板状部１１の上記縁部１１ａの側に）、誘導することができる。そして、乳幼児の容器から飲料を飲む訓練を促進することができ、さらには飲料を吸い出す訓練を促進することができる。
【００４１】
図１によく示されているように、線状突出部１７は、スリット７の長手方向Ｄ１と直交する方向Ｄ２においてスリット７と重なる位置に、凹み１８を有している。これにより、線状突出部１７に口を付けて飲料を飲む際、スリット７から流出した飲料は、線状突出部１７の凹み１８を通過して使用者の口に案内される。このことによっても、使用者の口の位置を、凹み１８の位置（したがって平板状部１１の上記縁部１１ａの側に）に誘導することができる。そして、乳幼児の容器から飲料を飲む訓練を促進することができ、さらには飲料を吸い出す訓練を促進することができる。
【００４２】
なお、図示された例では、飲み口部１０、取り付け部２０およびベース部３０は、一体的に形成されている。このように異なる機能を有する各部１０，２０，３０を一体に形成することにより、飲料容器１の部品点数を低減して、洗浄時の取り扱い性を改善することができる。また、各部１０，２０，３０のアダプター本体４への組み付けを容易にすることができる。
【００４３】
次に、キャップ６について説明する。図１並びに図７乃至図９に示すように、キャップ６は、ドーム状をなしており、閉じた状態で飲み口部１０を覆う。キャップ６で飲み口部１０を覆うことにより、飲み口部１０を衛生的に保つことができる。図１、図４および図７から理解されるように、キャップ６は、飲み口アダプター３に揺動可能に接続しており、飲み口アダプター３に相対動作することで開閉する。より具体的には、キャップ６は、スリット７の長手方向Ｄ１における他方の側となるアダプター本体４の縁部に接続している。図示された例では、キャップ６の揺動軸線Ａｘとスリット７の長手方向Ｄ１とは、直交している。これにより、キャップ６を開いて飲料容器１から飲料を飲む際、キャップ６によって飲料を飲む動作が阻害されることが防止される。
【００４４】
キャップ６は、閉じた状態で飲み口部１０に対面する内側面６ａを有する。この内側面６ａには、キャップ６が閉じた状態で上述したアダプター本体４の係合凹部４ｄと係合する係合凸部６ｄが設けられている。係合凸部６ｄと係合凹部４ｄとが係合することにより、キャップ６は閉じた状態に維持される。
【００４５】
また、キャップ６には、キャップ６が閉じた状態で飲み口部１０から飲料が漏れることを防止する液漏れ防止手段５０が設けられている。液漏れ防止手段５０は、内側面６ａに設けられている。液漏れ防止手段５０は、平板状部１１の容器本体２の外側への膨出を規制する規制部５１と、平板状部１１を押圧してスリット７の開放を抑制する押圧部５２と、平板状部１１に接触して平板状部１１を容器本体２の内側へ撓ませる接触部５３と、を有する。
【００４６】
規制部５１は、図１並びに図７乃至図９に示すように、キャップ６の内側面６ａから突出しており、キャップ６が閉じた状態で平板状部１１に接触して、平板状部１１のキャップ６側への膨出を規制する。より具体的には、規制部５１は、キャップ６が閉じた状態で平板状部１１のうちのスリット７の長手方向Ｄ１に直交する方向Ｄ２における平板状部１１の縁部１１ｂとスリット７との間となる部分１１ｄに接触して、当該部分１１ｄのキャップ６側への膨出を規制する。図示された例では、規制部５１は、スリット７の長手方向Ｄ１に沿って離間して配置された複数の板状の規制突出部（第１規制突出部５１ａおよび第２規制突出部５１ｂ）を含む。各規制突出部５１ａ，５１ｂは、キャップ６が閉じた状態において、スリット７の長手方向Ｄ１に直交する方向Ｄ２に線状に延びる。各規制突出部５１ａ，５１ｂは、キャップ６が閉じた状態において、スリット７の長手方向Ｄ１においてスリット７と重なる領域に位置している。これにより、平板状部１１がスリット７の両側でキャップ６の側へ撓んでスリット７が開放される、ということが防止される。
【００４７】
図１、図７及び図８に示すように、押圧部５２は、キャップ６の内側面６ａから突出して、キャップ６が閉じた状態で平板状部１１に接触して、スリット７の開放を抑制する。より具体的には、押圧部５２は、キャップ６が閉じた状態で、平板状部１１をスリット７の長手方向Ｄ１と非平行な方向に、より具体的にはスリット７を塞ぐ方向に押圧する。
【００４８】
図１及び図８によく示されているように、押圧部５２は、一対の押圧突出部５２ａ，５２ａを含んでいる。図示の例では、一対の押圧突出部５２ａ，５２ａは、第１規制突出部５１ａの両側にそれぞれ接続している。押圧突出部５２ａ，５２ａは、第１規制突出部５１ａよりもキャップ６からの突出長さが大きい。各押圧突出部５２ａ，５２ａのキャップ６からの突出長さは、スリット７の長手方向Ｄ１に直交する方向Ｄ２に沿って、第１規制突出部５１ａから離間するにつれて大きくなっていく。このため、一対の押圧突出部５２ａ，５２ａから平板状部１１に、効率良く押圧力を加えることができる。言い換えると、押圧突出部５２ａ，５２ａによって飲み口部１０の他の部分が押圧されて、平板状部１１がキャップ６の側へ向けて撓むように変形しスリット７が開放される、ということが防止される。
【００４９】
一対の押圧突出部５２ａ，５２ａは、キャップ６が閉じた状態で、スリット７の長手方向Ｄ１に直交する方向Ｄ２における一方の側および他方の側となる平板状部１１の縁部１１ｃ，１１ｃを、長手方向Ｄ１と非平行な方向に押圧する。より具体的には、一対の押圧突出部５２ａ，５２ａは、飲み口部１０の側壁部１６，１６を、上記直交する方向Ｄ２に押圧する。これにより、押圧突出部５２ａ，５２ａは、スリット７を効果的に塞ぐことができる。一対の押圧突出部５２ａ，５２ａは、キャップ６が閉じた状態において、スリット７の長手方向Ｄ１においてスリット７と重なる領域に位置している。したがって、キャップ６が閉じた状態において、一対の押圧突出部５２ａ，５２ａが平板状部１１を押圧すると、スリット７を画定する一対の面７ａ，７ａが、互いに対して押し付けられる。これにより、スリット７の開放が効果的に抑制される。
【００５０】
接触部５３は、図１、図７および図９に示すように、キャップ６の内側面６ａから突出して、キャップ６が閉じた状態で平板状部１１に接触して容器本体２の側へ押圧する。接触部５３は、キャップ６が閉じた状態で、スリット７の長手方向Ｄ１に直交する方向Ｄ２における平板状部１１の中央に接触する。このため、直交する方向Ｄ２における平板状部１１の中央が谷になるように、平板状部１１を容器本体２の内側へ撓ませることができる。れにより、キャップ６が閉じた状態において、平板状部１１のキャップ６側への膨出を効果的に防止することができる。なお、接触部５３は、キャップ６が閉じた状態で平板状部１１のうちの上記長手方向Ｄ１に沿ってスリット７からずれた部分に接触する。このため、キャップ６が閉じた状態で接触部５３がスリット７内に進入してスリット７が開放される、ということが防止される。
【００５１】
なお、上述した規制部５１、押圧部５２および接触部５３は、キャップ６と一体的に形成されている。これにより、キャップ６および液漏れ防止手段５０の相対位置のずれを効果的に防止することができる。したがって、液漏れ防止手段５０の各部５１，５２，５３と飲み口部１０との相対位置のずれを効果的に防止することができる。この結果、飲み口部１０からの液漏れを安定的に防止することができる。また、飲料容器１の部品点数を低減して、洗浄時の取り扱い性を改善することができる。
【００５２】
上述してきた一実施の形態によれば、飲料容器１は、容器本体２と、使用者の口を付けることで弾性変形する飲み口部１０を有し、容器本体２に取り付けられる飲み口アダプター３と、を備えている。飲み口部１０は、容器本体２の側となる面１３に線状リブ８を有する平板状部１１を含んでいる。そして、平板状部１１には、上記弾性変形によって開放されるスリット７が線状リブ８上に設けられている。
【００５３】
このような飲料容器１によれば、平板状部１１の容器本体２側に設けられた線状リブ８によって、平板状部１１の容器本体２の外側への撓みを効果的に防止することができる。したがって、飲料容器１が傾倒した場合や容器本体２の内圧が上がった場合等に、平板状部１１が外側に撓んでスリット７が開放されて、飲料容器１内の飲料が飲み口から意図せず漏れ出す、ということを効果的に防止することができる。その一方で、平板状部１１の容器本体２の内側への撓みが線状リブ８によって大きく拘束されることはない。したがって、平板状部１１に口を付けるといった簡単な動作によって、平板状部１１を容器本体２の内側に撓ませてスリット７を開くことができ、これにより、容器本体２内の飲料を飲むことができる。このような飲料容器１は、乳幼児の容器から飲料を飲む、さらには吸い出す訓練を促進することができる。
【００５４】
上述の一具体例において、線状リブ８の長手方向Ｄ１に直交する方向Ｄ２における平板状部１１の中央に、線状リブ８が設けられている。これにより、平板状部１１の容器本体２の外側への撓みをより効果的に防止することができる。したがって、飲料容器１が傾倒した場合や容器本体２の内圧が上がった場合等に、平板状部１１が外側に撓んでスリット７が開放されて、飲料容器１内の飲料が飲み口から意図せず漏れ出す、ということを、さらに効果的に防止することができる。
【００５５】
上述の一具体例において、平板状部１１は、容器本体２が画成する開口面に対して傾斜している。これにより、平板状部１１に上唇を付けやすくなり、飲料を飲みやすくすることができる。このことによっても、乳幼児の容器から飲料を飲む、さらには吸い出す訓練を促進することができる。
【００５６】
上述の一具体例において、飲み口部１０は、線状リブ８の長手方向Ｄ１における一方の側となる平板状部１１の縁部１１ａに接続し、平板状部１１と非平行な立上壁部１５をさらに有する。これにより、使用者の口の位置を、平板状部１１の上記縁部１１ａの側に、視覚的に誘導することができる。このことによっても、乳幼児の容器から飲料を飲む、さらには吸い出す訓練を促進することができる。
【００５７】
上述の一具体例において、線状リブ８の長手方向Ｄ１における一方の側となる平板状部１１の縁部１１ａに、線状突出部１７が設けられている。これにより、平板状部１１の上記縁部１１ａを咥えやすくなる。このことによっても、使用者の口の位置を、平板状部１１の上記縁部１１ａの側に誘導することができる。したがって、乳幼児の容器から飲料を飲む、さらには吸い出す訓練を促進することができる。
【００５８】
上述の一具体例において、飲料容器１は、閉じた状態で飲み口部１０を覆う開閉可能なキャップ６を更に備えている。そして、キャップ６は、閉じた状態で平板状部１１に接触して平板状部１１をスリット７の長手方向Ｄ１と非平行な方向に押す押圧部５２を有している。これにより、キャップ６の閉鎖時に、平板状部１１を、スリット７を塞ぐ方向に押圧して、スリット７の開放を抑制することができる。したがって、スリット７からの飲料の漏れ出しを効果的に防止することができる。
【００５９】
上述の一具体例において、押圧部５２は、キャップ６が閉じた状態において、スリット７の長手方向Ｄ１においてスリット７と重なる領域に位置している。これにより、キャップ６の閉鎖時に、スリット７を画定する一対の面７ａ，７ａを互いに対して効果的に押し付けることができ、スリット７の開放を効果的に抑制することができる。したがって、スリット７からの飲料の漏れ出しを、さらに効果的に防止することができる。
【００６０】
上述の一具体例において、スリット７の長手方向Ｄ１における一方の側となる平板状部１１の縁部１１ａに、当該縁部１１ａに沿って延びる線状突出部１７が設けられている。そして、線状突出部１７は、スリット７の長手方向Ｄ１と直交する方向Ｄ２においてスリット７と重なる位置に、凹み１８を設けられている。これにより、線状突出部１７に口を付けて飲料を飲む際、スリット７から流出した飲料は、線状突出部１７の凹み１８を通過して使用者の口に案内される。このことによっても、使用者の口の位置を、凹み１８の位置（したがって平板状部１１の上記縁部１１ａの側に）に誘導することができる。そして、乳幼児の容器から飲料を飲む訓練を促進することができ、さらには飲料を吸い出す訓練を促進することができる。
【００６１】
上述の一具体例において、キャップ６は、閉じた状態で平板状部１１のうちのスリット７の長手方向Ｄ１に直交する方向Ｄ２における平板状部１１の縁部１１ｃ，１１ｃのスリット７との間となる部分１１ｄ，１１ｄに接触して当該部分１１ｄ，１１ｄの膨出を規制する規制部５１を、さらに有する。これにより、キャップ６の閉鎖時に、平板状部１１がスリット７の両側でキャップ６の側へ撓んでスリット７が開放される、ということを効果的に防止することができる。したがって、スリット７からの飲料の漏れ出しを効果的に防止することができる。
【００６２】
上述の一具体例において、規制部５１は、キャップ６が閉じた状態において、スリット７の長手方向Ｄ１においてスリット７と重なる領域に位置している。これにより、キャップ６の閉鎖時に、平板状部１１がスリット７の両側でキャップ６の側へ撓んでスリット７が開放される、ということを、さらに効果的に防止することができる。したがって、スリット７からの飲料の漏れ出しを、さらに効果的に防止することができる。
【００６３】
上述の一具体例において、規制部５１は、キャップ６が閉じた状態において、スリット７の長手方向Ｄ１に直交する方向Ｄ２に延びる線状の規制突出部５１ａを含む。このような規制突出部５１ａによって、キャップ６が閉じた状態において、平板状部１１のキャップ６側への膨出を、効率良く抑制することができる。したがって、スリット７の開放そしてスリット７からの飲料の漏れ出しを、さらに効果的に防止することができる。
【００６４】
上述の一具体例において、押圧部５２は、規制突出部５１ａの両側にそれぞれ接続し、規制突出部５１ａよりもキャップ６からの突出長さが大きい一対の押圧突出部５２ａ，５２ａを含む。キャップ６が閉じた状態において、このような一対の押圧突出部５２ａ，５２ａで平板状部１１を押圧することにより、スリット７を、その両側から効果的に塞ぐことができる。この結果、スリット７からの飲料の漏れ出しを効果的に防止することができる。
【００６５】
上述の一具体例において、各押圧突出部５２ａのキャップ６からの突出長さは、スリット７の長手方向Ｄ１に直交する方向Ｄ２に沿って規制突出部５１ａから離間するにつれて大きくなっていく。このような一対の押圧突出部５２ａ，５２ａによれば、キャップ６が閉じた状態において、平板状部１１に効率良く押圧力を加えることができる。言い換えると、押圧突出部５２ａ，５２ａが飲み口部１０の他の部分を押圧して平板状部１１がキャップ６の側へ向けて撓むように変形し、スリット７が開放されることが防止される。したがって、スリット７からの飲料の漏れ出しを効果的に防止することができる。
【００６６】
上述の一具体例において、規制部５１は、スリット７の長手方向Ｄ１に沿って離間して配置された複数の規制突出部５１ａ，５１ｂを含む。これにより、キャップ６が閉じた状態において、平板状部１１のキャップ６側への膨出を効果的に防止することができ、スリット７の開放を効果的に抑制することができる。したがって、スリット７からの飲料の漏れ出しを効果的に防止することができる。
【００６７】
上述の一具体例において、キャップ６は、閉じた状態で平板状部１１のうちのスリット７の長手方向Ｄ１に沿ってスリット７から外れた部分に接触する接触部５３を有する。このような接触部５３によって、平板状部１１を容器本体２の内側へ撓ませることができる。したがって、キャップ６の閉鎖時に、平板状部１１がキャップ６の側へ撓むことを抑制することができる。なお、接触部５３は、キャップ６が閉じた状態で平板状部１１のうちの上記長手方向Ｄ１に沿ってスリット７からずれた部分に接触する。このため、キャップ６が閉じた状態で接触部５３がスリット７内に進入してスリット７が開放される、ということが防止される。以上により、スリット７からの飲料の漏れ出しを効果的に防止することができる。
【００６８】
上述の一具体例において、閉じた状態で飲み口部１０を覆う開閉可能なキャップ６を更に備えている。キャップ６は、飲み口アダプター３に揺動可能に接続し、キャップ６の揺動軸線とスリット７の長手方向Ｄ１は垂直である。キャップ６で飲み口部１０を覆うことにより、飲み口部１０を衛生的に保つことができる。また、キャップ６を開いて飲料容器１から飲料を飲む際、キャップ６によって飲料を飲む動作が阻害されることが防止される。
【００６９】
上述の一具体例において、飲み口アダプター３は、容器本体２に取り付けられるアダプター本体４と、アダプター本体４に保持される弾性部材５と、を有している。弾性部材５は、飲み口部１０と、飲み口部１０に接続されアダプター本体４へ取り付けられる取り付け部２０と、取り付け部２０と接続し容器本体２との間でシールを形成するベース部３０と、を有している。そして、飲み口部１０、取り付け部２０およびベース部３０は、一体的に形成されている。互いに異なる機能を有する部品１０，２０，３０が一体に形成されていることにより、飲料容器１の部品点数を低減して洗浄時の取り扱い性を改善することができる。また、各部１０，２０，３０のアダプター本体４への組み付けを容易にすることができる。
【００７０】
一実施の形態を複数の具体例により説明してきたが、これらの具体例が一実施の形態を限定することを意図していない。上述した一実施の形態は、その他の様々な具体例で実施されることが可能であり、その要旨を逸脱しない範囲で、種々の省略、置き換え、変更を行うことができる。
【００７１】
なお、以上において上述した実施の形態に対するいくつかの変形例を説明してきたが、当然に、複数の変形例を適宜組み合わせて適用することも可能である。
【符号の説明】
【００７２】
１     飲料容器
２     容器本体
３     飲み口アダプター
４     アダプター本体
５     弾性部材
６     キャップ
７     スリット
８     線状リブ
１０   飲み口部
１１   平板状部
２０   取り付け部
３０   ベース部
５１   規制部
５２   押圧部
５３   接触部
【図１】
2020079099.tif 000003
【図２】
2020079099.tif 000004
【図３】
2020079099.tif 000005
【図４】
2020079099.tif 000006
【図５】
2020079099.tif 000007
【図６】
2020079099.tif 000008
【図７】
2020079099.tif 000009
【図８】
2020079099.tif 000010
【図９】
2020079099.tif 000011